(57)【特許請求の範囲】
【請求項１】
上部に取手が設けられるとともに、下部に受け枠が設けられているフレームと、
前記フレームの下端側の軸受によって回転自在に取付けられている車輪と、
前記受け枠によって下部が受けられた状態で前記フレームに取付けられるバッグと、
前記フレームに収納および引出し自在に設けられた支持台と、
を具備し、前記バッグの開口部を覆うように蓋体が開閉自在に取付けられ、しかも該蓋体のポケットに電卓（電子式卓上計算器）が収納されるようになっており、前記支持台を引出すとともに前記蓋体を開いて前記電卓を引出された前記支持台によって支持しながら該電卓を使用するようにしたことを特徴とするショッピングカー。
【請求項２】
前記バッグの背面側に発光照明手段が取付けられていることを特徴とする請求項１に記載のショッピングカー。
【請求項３】
前記発光照明手段がＬＥＤ（発光ダイオード）ライトから構成され、給電用コードに順次取付けられ、前記給電用コードが前記バッグの背面側の外表面上に取付けられていることを特徴とする請求項２に記載のショッピングカー。
【請求項４】
前記バッグの一方の側面に折畳み式の雨傘を収納するポケットが設けられていることを特徴とする請求項１に記載のショッピングカー。
【請求項５】
前記バッグの他方の側面に携帯式電話機を収納するポケットが設けられていることを特徴とする請求項４に記載のショッピングカー。
【請求項６】
前記受け枠がフレームに折畳み可能に取付けられるとともに、前記取手が収納および引出し自在であって、前記フレームが折畳み可能であることを特徴とする請求項１に記載のショッピングカー。
【発明の詳細な説明】
【技術分野】
【０００１】
本発明はショッピングカーに係り、とくに車輪を備えるフレーム上にバッグを取付けるようにし、このバッグ内に物品を収納するようにしたショッピングカーに関する。
【背景技術】
【０００２】
例えば実開昭５２−２４６５５号公報や実開昭５６−１５０６５７号公報に開示されているように、下端側に車輪を備えるフレームの受け台の部分にバッグを装着し、取手によって引きながら移動できるようにしたショッピングカーが従来より、買物をした物品の搬送手段として広く用いられている。このようなショッピングカーによると、例えば買物をした物品を、ショッピングカーのバッグの中に入れて持運ぶことができ、物品の重量を手で支える必要がなくなり、これによって物品の搬送に負担がかからなくなる利点がある。
【０００３】
ところが従来のショッピングカーは、照明手段を備えていないために、例えば足元を照らすことができず、夜道等でつまずく可能性がある。また折畳み式の雨傘や携帯電話機等を収納しておくための専用のスペースを備えておらず、バッグ内に入れた場合には、購入した物品と混合って迅速に取出すことができない欠点がある。さらにこのようなショッピングカーには、計算手段が設けられていないために、買物をする際に、例えば電卓（電子式卓上計算機）を用いて計算することができないという問題がある。
【特許文献１】実開昭５２−２４６５５号公報
【特許文献２】実開昭５６−１５０６５７号公報
【発明の開示】
【発明が解決しようとする課題】
【０００４】
本願発明の課題は、上記の問題点を解決するようにしたショッピングカーを提供することである。
【０００５】
本願発明の別の課題は、夜間に暗い道を歩く場合に、足元を照らしてつまずかないようにしたショッピングカーを提供することである。
【０００６】
本願発明のさらに別の課題は、折畳み式の雨傘や携帯電話機等を収納しておくための専用の収納スペースを有するショッピングカーを提供することである。
【０００７】
本願発明のさらに別の課題は、所定の位置に収納されている電卓によって、買物の際に迅速に計算が行ない得るようにしたショッピングカーを提供することである。
【０００８】
本願発明のさらに別の課題は、必要に応じて折畳んで持運んだり、ロッカーに収納したりすることができるようにしたショッピングカーを提供することである。
【０００９】
本願発明のさらに別の課題は、スーパーマーケットで買物をする際に購入したものを直接収納することによって、レジ袋の使用量を削減し、間接的に環境保護に貢献するショッピングカーを提供することである。
【００１０】
本願発明の上記の課題および別の課題は、以下に述べる本願発明の技術的思想およびその実施の形態によって明らかにされる。
【課題を解決するための手段】
【００１１】
本願の主要な発明は、上部に取手が設けられるとともに、下部に受け枠が設けられているフレームと、
前記フレームの下端側の軸受によって回転自在に取付けられている車輪と、
前記受け枠によって下部が受けられた状態で前記フレームに取付けられるバッグと、
前記フレームに収納および引出し自在に設けられた支持台と、
を具備し、前記バッグの開口部を覆うように蓋体が開閉自在に取付けられ、しかも該蓋体のポケットに電卓（電子式卓上計算器）が収納されるようになっており、前記支持台を引出すとともに前記蓋体を開いて前記電卓を引出された前記支持台によって支持しながら該電卓を使用するようにしたことを特徴とするショッピングカーに関するものである。
【００１２】
ここで、前記バッグの背面側に発光照明手段が取付けられていてよい。また前記発光照明手段がＬＥＤ（発光ダイオード）ライトから構成され、給電用コードに順次取付けられ、前記給電用コードが前記バッグの背面側の外表面上に取付けられてよい。また前記バッグの一方の側面に折畳み式の雨傘を収納するポケットが設けられてよい。また前記バッグの他方の側面に携帯式電話機を収納するポケットが設けられてよい。また前記受け枠がフレームに折畳み可能に取付けられるとともに、前記取手が収納および引出し自在であって、前記フレームが折畳み可能であることが好適である。
【発明の効果】
【００１３】
本願の主要な発明は、上部に取手が設けられるとともに、下部に受け枠が設けられているフレームと、フレームの下端側の軸受によって回転自在に取付けられている車輪と、受け枠によって下部が受けられた状態でフレームに取付けられるバッグと、フレームに収納および引出し自在に設けられた支持台と、を具備し、バッグの開口部を覆うように蓋体が開閉自在に取付けられ、しかも該蓋体のポケットに電卓（電子式卓上計算器）が収納されるようになっており、支持台を引出すとともに蓋体を開いて電卓を引出された支持台によって支持しながら該電卓を使用するようにしたものである。
【００１４】
従ってこのようなショッピングカーによると、フレームに収納および引出し自在に設けられた支持台を引出して電卓を支持しながらこの電卓を使用することができるようになり、電卓を安定に支持しながらしかもキー入力を行なうことができ、電卓の操作性が著しく改善される。
【発明を実施するための最良の形態】
【００１５】
以下本願発明を図示の実施の形態によって説明する。図１〜３は、本実施の形態のショッピングカーのほぼ全体の構成を示すものであって、とくに図１および図２に示すように、このショッピングカーは梯子型のフレーム１０を備えている。すなわちフレーム１０は、左右一対の例えば軽合金から成るパイプ１１を備えるとともに、左右のパイプ１１が横方向に延びる複数本のバー１２によって連結されている。そして左右のパイプ１１の上端部には合成樹脂成形体から成るスリーブ１３が取付けられるとともに、左右のスリーブ１３が連結棒１４によって連結されている。
【００１６】
このようなフレーム１０を構成する左右のパイプ１１の下端部にはそれぞれ軸受１５が設けられるとともに、左右の軸受１５には車軸１６が回転可能に支持されている。そして車軸１６の両端には車輪１７が取付けられている。従ってフレーム１０は、車輪１７によって支持されるようになる。
【００１７】
フレーム１０の上端にはＵ字状フレーム２１が取付けられる。Ｕ字状フレーム２１は、その外径が上記フレーム１０の左右のパイプ１１の内径とほぼ同じかそれよりもやや小さな値になっており、スリーブ１３を通して収納および引出し自在になっている。そしてＵ字状フレーム２１の上端であって水平部分には筒体から成る取手２２が取付けられており、この取手２２によってフレーム１０を引っ張って移動できるようにしている。また一方のパイプ１１には取手１８が取付けられており、折畳んで持運べるようになっている（図４参照）。
【００１８】
フレーム１０の下端側であって左右の軸受１５の内側位置には、受け枠２３が取付けられている。受け枠２３はフレーム１０の左右のパイプ１１の下端側の部分に回動自在になっており（図３参照）、収納および引出し自在になっている。これによって受け枠２３を有するフレーム１０は、図３Ｂおよび図４に示すように折畳むことができるようになっている。なお受け枠２３は図１に示すように、中間位置に複数本のバー２４を取付けている。また受け枠２３の先端部にはサポート２５が固着されており、このサポート２５によって受け枠２３をほぼ水平な姿勢で支持するようにしている。
【００１９】
上記フレーム１０の受け枠２３上には物品を収納するためのバッグ３０が着脱可能に取付けられて装着されるようになっている。バッグ３０はとくに図１および図５に示すように、その上部開口３１を背面部から連続する蓋体３２によって開閉自在に覆うようにしている。またこのバッグ３０は図１および図２に示すように、ベルト３３によってフレーム１０のパイプ１１に固定されるようになっている。左右のベルト３３の基端側の部分は、上記フレーム１０のパイプ１１に固定されるようになっている。そして左右のベルト３３はバッグ３０の側面に設けられたベルト押え３４を挿通し、左右のベルト３３の先端の部分が連結金具３５によってバッグ３０の前面側で連結されるようになっている。
【００２０】
バッグ３０の背面側にはとくに図２Ｂおよび図５に示すように、ＬＥＤ（発光ダイオード）ライト４０から成る照明手段が取付けられるようになっている。ＬＥＤライト４０は給電用コード４１に順次接続されるとともに、この給電用コード４１がバッグ３０の背面側の外表面上に渦巻き状にして固定されるようになっている。そして給電用コード４１の端部は電池ボックスから成る電源部４２に接続されており、図示を省略したスイッチを投入すると電源部４２からＬＥＤライト４０に電源が供給されて点灯し、照明が行なわれるようになっている。また上記ＬＥＤライト４０は、必要に応じてライトカバー４３によって覆われるようになっている。ライトカバー４３は図３Ａ、図３Ｂに示すように不使用時には、巻取ってフレーム１０の背面側の部分に固定されるようになっている。このときにライトカバー４３は面ファスナ等の固定手段によって固定される。
【００２１】
またこのようなＬＥＤライト４０から成る照明手段を備えるバッグ３０は、その蓋体３２の内側に、とくに図５に示すように、電卓を収納するポケット４５が設けられており、このポケット４５によって電卓を収納するようにしている。ポケット４５には、矩形の窓４８が設けられており、この窓４８を通してキーの操作を行なうようにしている。またバッグ３０の向って左側の側面には折畳み式雨傘用ポケット４６が形成され、バッグ３０の右側の側面には携帯電話機用ポケット４７が形成されている。これらのポケット４６、４７にはそれぞれ折畳み式雨傘や携帯式電話機を収納できるようになっている。
【００２２】
次に上記バッグ３０の蓋体３２のポケット４５に収納される電卓を下から支える支持台５０の構造について、図６〜図８によって説明する。フレーム１０の左右のスリーブ１３を連結する連結棒１４は、支持台５０を回転自在に支持している。支持台５０はその貫通孔の縁部に一対の切欠き５１、５２を備え、これらの切欠き５１、５２が連結棒１４に固着されているピン５３を受入れることによって、図６Ｂ、図７、および図８Ｂに示すように、この支持台５０を水平な状態で維持するようにしている。なおバッグ３０の蓋体３２には、その表側に外表面に突出するように鋲４９が取付けられ、支持台５０を引出して蓋体３２を開くと、鋲４９が支持台５０のエッジに引掛かるようにしている。従ってこのように水平になっている支持台５０上にバッグ３０の蓋体３２のポケット４５に収納されている電卓を載置してその操作を行なうことができ、電卓の操作が容易になる利点がある。
【００２３】
次に以上のような構成に係るショッピングカーの使用方法について説明する。バッグ３０をこのショッピングカーのフレーム１０に取付ける場合には、図３Ａに示すように、受け枠２３を前方に回動させて開く。図３Ｂに示すように受け枠２３は折畳み可能になっているために、水平に開くことによって、バッグ３０を支持できる状態になる。そして受け枠２３上にバッグ３０を載置したならば、この状態においてフレーム１０の左右のパイプ１１に連結されているベルト３３を引出し、これらのベルト３３をバッグ３０の左右のベルト押え３４に挿通させた後に、ベルト３３の両側の先端部を連結金具３５によって連結することにより、バッグ３０がフレーム１０の受け枠２３に載置された状態でフレーム１０に装着され、しかもその状態で維持できるようになる。
【００２４】
買物をする際には、上記ベルト３３を連結金具３５のところで分離し、蓋体３２を図５に示すように開き、上部開口３１を通してバッグ３０内に購入した物品を収納することになる。そして再び蓋体３２を図１に示すように閉じ、両側からベルト３３を前方に引出して連結金具３５によって連結する。これによって、バッグ３０がフレーム１０から脱落することがなく、確実に物品の搬送を行なうことができるようになる。
【００２５】
このようなショッピングカーは、スーパーマーケット等で買物をする時に、購入した物を直接収納することができ、スーパーマーケットのレジ袋の使用量を削減することによって，間接的に地球環境保護に貢献することが可能になる。
【００２６】
なお不使用時であって、このショッピングカーを持運ぶ場合や、収納しておく場合には、図３Ｂおよび図４に示すように折畳むことができる。この動作は、バッグ３０の両側面および底部を内側に折込んで扁平に折畳み、しかもフレーム１０の下端側の受け枠２３をその取付け部のヒンジを中心に回動させてパイプ１１に重合わせるようにする。そしてその上に折畳んだバッグ３０を重合わせ、ベルト３３によって固定することによって達成される。このような構成によれば、このショッピングカーを持運ぶ場合や、収納しておく場合に、そのスペースを大幅に低減できるようになる。
【００２７】
なお上述の如くバッグ３０を折畳んだ状態でフレーム１０上に固定し、しかもその状態で持運ぶことができるようにしている。すなわちフレーム１０の正面から見て左側のパイプ１１には取手１８が設けられており、従ってこのような取手１８を用いて、図４に示す姿勢で持運ぶことができる。コンパクトに折畳まれたショッピングカーは、スペース的にコンパクトに折畳まれ、しかもその重量も比較的軽くなっているために、図８に示すように取手１８を持って横にして持運ぶことが可能になる。
【００２８】
次に暗い夜道をこのショッピングカーを引きながら歩行する際には、このバッグ３０の背面側の外表面に設けられているＬＥＤライト４０を点灯し、足元を照らすことができる。図２および図５に示すように、バッグ３０の背面側の正面には給電用コード４１を介してＬＥＤライト４０が螺旋状に配列されているために、スイッチを投入し、電源部４２から電源を投入してこのＬＥＤライト４０を点灯させることができる。従ってこれにより、足元を照らしながらこのショッピングカーを引張って歩行することができる。これによって道でつまずくことがなくなるとともに、自動車の運転手や自転車に乗っている人がこのライトによってショッピングカーあるいはこのショッピングカーを引いて歩行する人を確認することができるために、安全性が向上する。
【００２９】
またこのショッピングカーには、その蓋体３２の上部の内側であってポケット４５に電卓を収納するようにしている。このポケット４５内の電卓を使用する場合には、図６ｂおよび図７、図８Ｂに示すように、支持台５０を連結棒１４を中心に回動させて水平な状態とするとともに、図８Ｂに示すように水平に左方に移動させ、支持台５０の貫通孔の上下の切欠き５１、５２が連結棒１４のピン５３を受入れるようにし、これによって支持台５０を水平な姿勢に維持する。次いでバッグ３０の蓋体３２を開放し、鋲４９を支持台５０の先端側のエッジに係合させる。そしてこのような引出された支持台５０によってバッグ３０の蓋体３２のポケット４５に収納されている電卓を支持して操作を行なうことができ、電卓を安定に支持しながらしかも矩形の窓４８を通してキー入力を行なうことができる。従ってポケット４５内の電卓の操作性が著しく改善される。
【００３０】
なおポケット４５に電卓を収納したままの状態で、矩形の窓４８を通してキー入力を行なう代わりに、ポケット４５から電卓を取出し、蓋体３２を介して支持台５０よって支持させながら電卓の操作を行なうようにしてもよい。あるいはまた蓋体３２を介在することなく直接支持台５０上に電卓を置いて操作してもよい。なおポケット４５には、電卓が脱落しないように面ファスナを有する蓋を設けるようにすると好適である。
【００３１】
またこのショッピングカーは、バッグ３０の一方の側面に、折畳み式の雨傘用ポケット４６が設けられており、このポケット４６に雨傘を収納することができる。従ってバッグ３０の内部に雨傘を収納する必要がなく、バッグ３０の内部空間を有効に利用できる。また雨傘を取出す操作も非常に容易になる。
【００３２】
またバッグ３０の反対側の側面には、図２および図３Ａに示すように、携帯電話機用ポケット４７が設けられており、この携帯電話機用ポケット４７によって携帯電話機を収納しておくことができる。従って、携帯電話機を収納するための別の搬送手段、例えばハンドバッグ等を必要としなくなる。また携帯電話機を置き忘れたり、紛失したりすることを防止できるようになる。
【００３３】
以上本願発明を図示の実施の形態によって説明したが、本願発明は上記実施の形態によって限定されることなく、本願発明の技術的思想の範囲内において各種の変更が可能である。例えば上記実施の形態における電卓を支持する支持台の水平に保持する機構や、受け枠２３をフレーム１０のパイプ１１間に収納する構成については、各種の変更が可能である。また電卓収納用ポケット４５、折畳式雨傘用ポケット４６、携帯電話機用ポケット４７等の配置についても、各種の設計変更を行なうことが可能である。
【産業上の利用可能性】
【００３４】
本願発明は、フレーム上に着脱可能にバッグを装着するようにしたショッピングカーに利用することができる。
【図面の簡単な説明】
【００３５】
【図１】ショッピングカーの分解斜視図である。
【図２】同ショッピングカーの組立て正面図および組立て背面図である。
【図３】同ショッピングカーの側面図および折畳み状態の側面図である。
【図４】同ショッピングカーを折畳んで持運ぶ状態を示す斜視図である。
【図５】フレームから取外したバッグの外観斜視図である。
【図６】支持台の取付け構造を示す背面図である。
【図７】同支持台を水平な状態に維持したときの外観斜視図である。
【図８】同支持台の水平に保持する構成を示す要部断面図である。
【符号の説明】
【００３６】
１０  フレーム
１１  パイプ
１２  バー
１３  スリーブ
１４  連結棒
１５  軸受
１６  車軸
１７  車輪
１８  取手
２１  Ｕ字状フレーム
２２  取手（筒体）
２３  受け枠
２４  バー
２５  サポート
３０  バッグ
３１  上部開口
３２  蓋体
３３  ベルト
３４  ベルト押え
３５  連結金具
４０  ＬＥＤ（発光ダイオード）ライト
４１  給電用コード
４２  電源部（電池ボックス）
４３  ライトカバー（布）
４５  ポケット（電卓用）
４６  ポケット（折畳み式雨傘用）
４７  ポケット（携帯電話機用）
４８  矩形の窓
４９  鋲
５０  支持台
５１、５２  切欠き
５３  ピン
【要約】
【課題】夜間暗い道をショッピングカーを引きながら歩行する場合に、足元を照らしてつまずかないようにし、あるいはまた電卓、折畳み式雨傘、携帯電話機等を必要に応じて確実に保持することができるようにしたショッピングカーを提供する。
【解決手段】フレーム１０に着脱可能に装着されるバッグ３０の背面側の外表面上に、給電用コード４１によって順次接続されたＬＥＤライト４０を配するとともに、上部開口を覆う蓋体３２の内側の部分に電卓用ポケット４５を設け、さらにバッグ３０の左右両側に折畳み式雨傘用ポケット４６と携帯電話機用ポケット４７とを設けるようにし、これらのポケット４５、４６、４７に電卓、携帯式雨傘、携帯電話機を収納保持する。
【選択図】図２【図１】
0004208094.tif 000002
【図２】
0004208094.tif 000003
【図３】
0004208094.tif 000004
【図４】
0004208094.tif 000005
【図５】
0004208094.tif 000006
【図６】
0004208094.tif 000007
【図７】
0004208094.tif 000008
【図８】
0004208094.tif 000009